(57)【要約】【課題】同じタイプの複数の検出器ユニットにより光学的バスが構成されたシステムを提供する。【解決手段】検出器ユニット１１が、光送信機２３、光受信機２５、および少なくとも１つの光学的接続経路１５を備えており、光学的接続経路１５により２つの光学的インターフェース１７，１７’が互いに光学的に接続されている。さらに、前記光学的接続経路に沿って少なくとも１つの光学的変化部２１が設けられており、前記光学的変化部は、光送信機２３からの光を光学的接続経路１５に結合するとともに光学的接続経路１５から光を取り出して光受信機２５に結合する。【選択図】　図２
2004040796.tif 000002
【特許請求の範囲】
【請求項１】
検出器ユニット（１１）であって、前記検出器ユニット（１１）は、同じタイプの検出器ユニット（１１）が互いに隣接するように配置されることにより構成された光学的バスに接続されるものとして設計されたものにおいて、
前記検出器ユニット（１１）は、光送信機（２３）、光受信機（２５）および少なくとも１つの光学的接続経路（１５）を備えており、前記光学的接続経路（１５）によって、２つの光学的インターフェース（１７，１７’）が互いに接続されており、前記光学的接続経路（１５）に沿って少なくとも１つの光学的変化部（２１）が設けられており、前記光学的変化部（２１）は、前記光送信機（２３）からの光を前記光学的接続経路（１５）に結合するとともに、前記光学的接続経路（１５）から前記光受信機（２５）へと光を結合するものとして構成されていることを特徴とする検出器ユニット（１１）。
【請求項２】
前記光学的接続経路（１５）が、光導波路もしくは反射型経路により構成されていることを特徴とする請求項１記載の検出器ユニット（１１）。
【請求項３】
前記光学的接続経路（１５）が、前記検出器ユニット（１１）内部で直線状に延びていることを特徴とする請求項１〜２のいずれかに記載の検出器ユニット（１１）。
【請求項４】
前記光学的インターフェース（１７，１７’）が、前記検出器ユニット（１１）のそれぞれ反対側に配置されていることを特徴とする請求項１〜３のいずれかに記載の検出器ユニット（１１）。
【請求項５】
前記光学的インターフェース（１７，１７’）が、使用される波長に対して透過性を有するターミナルウィンドウおよび／または使用される波長に対して透過性を有する、ハウジングの一部および／または接続用光導波路を接続するためのターミナルアダプタおよび／または反射型ターミナル素子を受容するためのターミナルアダプタから構成されていることを特徴とする請求項１〜４のいずれかに記載の検出器ユニット（１１）。
【請求項６】
前記光学的変化部（２１）は、前記光学的接続経路の全反射型凹部もしくは１つもしくは複数の部分透過型反射素子であることを特徴とする請求項１〜５のいずれかに記載の検出器ユニット（１１）。
【請求項７】
前記光学的接続経路（１５）へと光を送信するための１台の光送信機（２３）と、前記光学的接続経路（１５）から光を受信するための１台の前記光受信機（２５）と、を備えていることを特徴とする請求項１〜６のいずれかに記載の検出器ユニット（１１）。
【請求項８】
前記光学的インターフェース（１７，１７’）、前記光学的変化部（２１）、前記光送信機（２３）および前記光受信機（２５）は、両方の前記光学的インターフェース（１７，１７’）が互いに光学的に接続されるとともに各光学的インターフェース（１７，１７’）が前記光送信機（２３）および前記光受信機（２５）と光学的に接続されるように、配置されていることを特徴とする請求項１〜７のいずれかに記載の検出器ユニット（１１）。
【請求項９】
前記光送信機（２３）および前記光受信機（２５）は、送受信機素子により構成されていることを特徴とする請求項１〜８のいずれかに記載の検出器ユニット（１１）。
【請求項１０】
２つの光学的接続経路（１５）を備えており、これらは、それぞれ、２つの光学的インターフェース（１７，１７’）を互いに接続しており、前記光送信機（２３）は、関連する光学的変化部（２１）とともに、一方の前記光学的接続経路（１５）に配置されており、前記光受信機（２５）は、関連する他の光学的変化部（２１）とともに、他方の前記光学的接続経路（１５）に配置されていることを特徴とする請求項１〜９のいずれかに検出器ユニット。
【請求項１１】
検出器装置（１３）、もしくは検出器装置の一部を備えており、前記検出器装置（１３）は、光電式検出器装置であり、前記の検出器装置の一部は、検出器ヘッドのための光学的インターフェースもしくは電気的インターフェースであることを特徴とする請求項１〜１０のいずれかに記載の検出器ユニット。
【請求項１２】
請求項１〜１１のいずれかに記載の検出器ユニット（１１）を複数備えたシステム。
【請求項１３】
互いに隣接した前記光学的インターフェース（１７，１７’）は、互いに対応する位置に配置されていることを特徴とする請求項１２記載のシステム。
【請求項１４】
少なくとも１つのアダプタユニット（３９）を備えており、前記アダプタユニット（３９）は、光学的インターフェース（４１）と、これに光学的にもしくは光電式で接続された少なくとも１つの光導波路出力部（４３）と、を備えており、前記光学的インターフェース（４１）は、隣接する前記検出器ユニット（１１）の前記光学的インターフェース（１７’）に対応する位置に配置されていることを特徴とする請求項１２〜１３のいずれかに記載のシステム。
【請求項１５】
ターミナル用反射素子（３１）を備えた少なくとも１つのターミナルユニット（２９）を備えており、前記ターミナル用反射素子（３１）は、隣接する前記検出器ユニット（１１）の前記光学的インターフェース（１７）に対応する位置に配置されていることを特徴とする請求項１２〜１５のいずれかに記載のシステム。
【請求項１６】
少なくとも１つのターミナルユニット（５７）を備えており、前記ターミナルユニット（５７）は、２つの光学的インターフェース（５９）と、これらの２つの光学的インターフェース（５９）を互いに接続する光学的接続経路（６１）と、を備えており、前記の２つの光学的インターフェース（５９）は、隣接する前記検出器ユニット（１１）の２つの光学的インターフェース（１７，１７’）に対応する位置に配置されていることを特徴とする請求項１２〜１５のいずれかに記載のシステム。
【請求項１７】
前記光学的バスを同期するための制御装置を備えていることを特徴とする請求項１２〜１６のいずれかに記載のシステム。
【発明の詳細な説明】
【０００１】
【発明の属する技術分野】本発明は、検出器ユニットに関し、複数の同じタイプの検出器ユニットが隣接して配置されることにより構成された光学的バスに接続されるものとして設計された検出器ユニットに関する。
【０００２】
【従来の技術】
このような検出器ユニットは、例えば、検出器装置（例えば、光バリア、拡散検出器、誘導式近接スイッチ、容量式近接スイッチもしくは超音波検出器）として利用可能なものである。ある用途では、複数のこのような検出器ユニットが近接するように配置されることによって、複数の測定値が同時に得られるようになっている。このような用途では、これらの検出器ユニットに共通の制御を行うとともに、検出器ユニット間でデータを流さなければならない。このような目的のために、これらの検出器ユニットは、共通のデータバスに接続される。
【０００３】
このようなデータバスを構成するために、互いに隣接する検出器ユニットの間にガルヴァーニプラグ接続部（ｇａｌｖａｎｉｃ　ｐｌｕｇ　ｃｏｎｎｅｃｔｉｏｎ）が配置されることは、周知である。しかし、このような接続方法では、ある用途に対して十分な保護機能が得られない。
【０００４】
従って、優れた保護機能が求められていることに対して、ハウジングのそれぞれ反対側に光学的インターフェースおよび関連する光電式送受信機を備えた検出器ユニットの開発が進められてきた。２台の互いに隣接する検出器ユニットの光学的インターフェースは、同じ位置に配置される。従って、このような検出器ユニットにおける互いに電気的に接続された２台の光電式送受信機および隣接する検出器ユニットに関連する光学的インターフェースによって、隣接する検出器ユニットとの双方向通信を可能とする光電式バスが構成される。
【０００５】
このような設計の１つの欠点は、データ通信（具体的には同期）にかかる応答時間が、ある用途には望ましくないほど長いことである。これは、構成されたバスに沿って伝達すべき信号を、各検出器ユニット内部で光学的信号から電気的信号へと変換して再び光学的信号に戻す必要があるためである。さらに、説明した検出器ユニットの設計は、比較的複雑なものであるため、望ましくないほど高価なものとなる。
【０００６】
【発明が解決しようとする課題】
従って、本発明の目的は、高速のデータ通信を可能とする検出器ユニットを提供し、複数の同じタイプの検出器ユニットが互いに隣接したシステムを、妥当なコストで構成できる設計を有しかつ保護機能に優れたものとすることである。
【０００７】
【課題を解決するための手段】
このような目的は、請求項１の特徴により達成される。具体的には、検出器ユニットが、光送信機、光受信機、および少なくとも１つの光学的接続経路を備えており、前記光学的接続経路により２つの光学的インターフェースが互いに光学的に接続されている。さらに、前記光学的接続経路に沿って少なくとも１つの光学的変化部（ｏｐｔｉｃａｌ　ａｎｏｍａｌｙ）が設けられており、前記光学的変化部は、光送信機からの光を前記光学的接続経路に結合するとともに前記光学的接続経路から光を取り出して光受信機に結合するものとして設計されている。
【０００８】
本発明の検出器ユニットにおいては、少なくとも１つの連続した光学的接続経路が２つの光学的インターフェース間に延びている。これによって、このような検出器ユニットを、いずれかの方向に隣接しかつ対応する光学的インターフェースを有する検出器ユニットに光学的に接続することが可能となっている。前記光学的接続経路における光学的変化部によって、光送信機から前記光学的接続経路へと光が結合されるとともに、前記光学的接続経路から光受信機へと光が結合されるようになっている。
【０００９】
複数のこのような検出器ユニットが互いに隣接して配置されることによって、各光学的接続経路が各光学的インターフェースを介して接続され、これによって、単一の連続した光学的接続経路が構成される。光学的に接続された各検出器ユニットは、光学的信号をこの接続経路に結合することができるとともに、この接続経路から光学的信号を受信することができる。従って、完全に光学的なバスが構成される。つまり、互いに隣接した複数の検出器ユニットが光学的方式で接続され、これによって、それぞれ異なる検出器ユニットの間で信号を伝達する際に光学的信号と電気的信号との間で何度も変換を行う必要がない。このような光学的バスに信号が結合される際もしくはこのような光学的バスから信号が取り出される際にのみ、光学的信号と電気的信号との間で変換が行われる。
【００１０】
本発明の利点は、所望のどの検出器間で信号を伝達する場合でも、著しい時間損失が発生しないことである。従って、全ての検出器ユニットを同時に同期させることができ、このとき、個々の検出器ユニットの応答時間がそれぞれ加わることはない。
【００１１】
このような検出器ユニットのさらなる利点は、全ての検出器ユニットが常に他のどの所望の検出器ユニットとも通信でき、これによって、複数の検出器ユニットからなるシステムにおいて通信を効率的に行うことができる。
【００１２】
さらに、このような検出器ユニットを複数備えたシステムにおいてある検出器ユニットと他の検出器ユニットとの間で通信を行う際に、これらの間にある検出器ユニットの光送信機もしくは光受信機が故障していても、特に問題はない。共通の光学的接続経路のみを介して通信が行われるためである。従って、本発明の複数の検出器ユニットからなるシステムでは、個々の検出器ユニットの故障によっては、通信が妨げられない。
【００１３】
さらに、本発明の検出器ユニットには、１つの光送信機および１つの光受信機のみが必要となるため、比較的低いコストで製造することが可能である。
【００１４】
光の伝播に関して述べると、本発明の検出器ユニットによって、紫外線領域もしくは赤外線領域の電磁波もまた伝播することができる。
【００１５】
好適な実施例によると、検出器ユニット内部の光学的接続経路は、光導波路により構成される。光導波路は、光学的に密度の大きい材料からなる中実部材である。他の実施例として、内部への反射を行う中空状部材である反射経路を用いることも可能である。
【００１６】
好ましくは、光学的接続経路は、検出器ユニット内部で、ハウジングの一方の側から他方の側へと直線状に延びている。
【００１７】
前記光学的接続経路の端部における前記光学的インターフェースを、例えば、透過性ターミナルウィンドウにより構成するか、もしくはハウジングの一部を使用される波長に対して透過性を有するものとすることにより構成することができる。
【００１８】
光学的接続経路における光学的変化部を、例えば、光学的接続経路（例えば光導波路）に全反射型の凹部を設けることにより構成することができる。このような凹部の形状を、所望の形状にすることができ、例えば円形もしくはプリズム状とすることができる。他の実施例として、このような光学的変化部を、１つもしくは複数の部分透過性反射素子（例えば部分透過鏡）とすることも可能である。さらに好ましくは、検出器ユニットの両端部における光学的インターフェースにつながる単一の光学的接続経路を設け、これに光学的送信機および光学的受信機を配置する。
【００１９】
しかし、他の実施例として、検出器ユニットに２つの光学的接続経路を設け、一方の光学的接続経路に光送信機を接続し、他方の光学的接続経路に光受信機を接続することも可能である。従って、例えば互いに平行に延びた２つの光学的接続経路が、互いに隣接した複数の検出器ユニットからなるシステムにより構成される。
【００２０】
本発明は、さらに、上述したタイプの検出器ユニットを複数備え、これらの検出器ユニットが直列に接続されることにより光学的バスが構成されたシステムを提供する。
【００２１】
さらに、このようなシステムに１台もしくは複数台のアダプタユニットを備え、これによって、互いに隣接した検出器ユニットからなる複数の群（集合）を、光学的にもしくは光電式中継器を介して互いに接続することが可能である。
【００２２】
さらに、このようなシステムに１台もしくは複数台のターミナルユニットを備え、これによって、互いに隣接した検出器ユニットの列の端部を光学的に終端し、共通の光学的接続経路に沿って案内された光がこの光学的接続経路の端面から放出されないようにすることが可能である。
【００２３】
最後に、このようなシステムに、検出器ユニットにより構成された光学的バスを同期するための制御装置を備えることも可能である。このような制御装置は、例えば、光学的インターフェース、光送信機および光受信機を備え、これによって、接続された検出器ユニットと通信し得るものである。このために、例えば付加的な制御装置（例えば搬送可能型コンピュータ）を接続するための特別なインターフェースを備えた特別仕様の制御装置を用いることができる。他の実施例として、システムの所望の検出器ユニットによってこのような制御装置の機能を果たすことも可能である。例えば、ディップスイッチ（ｄｉｐ　ｓｗｉｔｃｈ）による対応する設定（ａｃｔｉｖａｔｉｏｎ）に基づいて、このことを実行することができる。
【００２４】
本発明の更なる実施例は、従属請求項に記載されている。
【００２５】
以下、図面を参照しながら、実施例を挙げることにより本発明を説明する。
【００２６】
【発明の実施の形態】
図１には、本発明の検出器ユニット１１が示されており、この検出器ユニット１１は、検出器装置１３（例えば拡散検出器）を一体として備えているか、もしくはその一部（例えば検出器インターフェース）を備えている。このようなインターフェースは、考え得る接続手段（例えば電気ケーブルや光導波路）を、遠隔位置に設置可能な光電式、誘導式もしくは他のタイプの検出器ヘッド（図には示されていない）に接続することを可能とするものである。
【００２７】
検出器ユニット１１は、光学的接続経路１５を備えており、これは、図１に示されているハウジング側面に配置された光学的インターフェース１７から反対側のハウジング側面に配置された光学的インターフェース１７’まで直線状に延びている。光学的インターフェース１７は、透過性ターミナルウィンドウ（ｔｒａｎｓｐａｒｅｎｔ　ｔｅｒｍｉｎａｌ　ｗｉｎｄｏｗ）により形成されている。以下で詳細に述べるように、光学的接続経路１５には、光学的変化部（ｏｐｔｉｃａｌ　ａｎｏｍａｌｙ）が形成されているとともに、光送信機および光受信機が配置されている。
【００２８】
さらに、任意により、少なくとも１つの制御信号入力／出力部１８および電気的端子１９が、図１に示されたハウジング側面に配置されており、これらによって周知の方式で信号ラインを利用したり、もしくはこれらをエネルギー供給部として利用することが可能となっている。
【００２９】
図２には、図１に関して説明されたタイプの検出器ユニット１１を５台備えたシステムが示されている。各検出器ユニット１１の光学的接続経路１５は、光導波路から構成されており、この光導波路には、三角形の２つの凹部２１が設けられている。光学的接続経路１５には、一方の凹部２１に対向するように、光送信機２３（例えば発光ダイオード）が光学的に接続されている。光学的接続経路１５には、さらに、他方の凹部２１に対向するように光受信機２５（例えばフォトダイオード）が光学的に接続されている。このように、各検出器ユニット１１は、１台の光送信機２３および１台の光受信機２５を備えており、これらは、制御回路２７に接続されている。制御回路２７は、図２に示されていない方式で、対応する検出器装置１３に光学的に接続されている。
【００３０】
検出器ユニット１１における光学的インターフェース１７，１７’、凹部２１、光送信機２３および光受信機２５は、以下のように配置されている。つまり、一方では、光学的インターフェース１７，１７’が互いに光学的に接続されるともに、他方では、各光学的インターフェース１７，１７’が光送信機２３および光受信機２５にも光学的に接続されるような配置となっている。すなわち、光送信機２３から送信された光は、２つの光学的インターフェース１７，１７’の方向にそれぞれ反射され、２つの光学的インターフェース１７，１７’から光学的接続経路１５に入る光は、少なくとも部分的に、光受信機２５の方向に反射される。
【００３１】
図２の平面図に示されているように、検出器ユニット１１の互いに隣接した光学的インターフェース１７，１７’は、互いに対応する位置に配置されており、これによって、個々の検出器ユニット１１の光学的接続経路１５によって、図示されたシステムに直線状の共通の光学的接続経路が構成されている。
【００３２】
このような方法では、全ての検出器ユニット１１が直接に光学的に接触した状態にあり、これによって、例えば、図２の左側に示された検出器ユニット１１がその光送信機２３を介して中央の検出器ユニット１１の光受信機２５と通信できるようになっている。従って、図示されたシステムでは、２台以上の所望の検出器ユニット１１の間で通信を行う際に応答時間が非常に短くなり、さらに、複数もしくは全ての検出器ユニット１１を同時に制御することができる。
【００３３】
さらに、図２に示されたシステムにおいて、個々の検出器ユニット１１を互いに近接させ、特に個々の光学的インターフェース１７，１７’を直接に光学的に接触させることによって、光学的接続経路１５に沿って案内される光の損失を防止もしくは減少させることが可能である。
【００３４】
光学的損失を減少させるために、個々の光学的接続経路１５からなる共通光学的接続経路の端部に反射型ターミナル素子を配置し、最も外側の光学的インターフェース１７，１７’にそれぞれ到達する光を反射させて、関連する光学的接続経路１５に戻すことができる。図２には、ターミナルユニット２９が例示されており、このターミナルユニット２９には、隣接する検出器ユニット１１の光学的インターフェース１７に対応する位置にターミナル用反射素子３１が配置されている。ターミナル用反射素子３１としては、例えば、金属化プラスティックを備えた接着性ラベルを用いることができる。このようなターミナルユニット２９を、図２では直線状配列である検出器ユニット１１の配列の両端部に配置することも可能である。
【００３５】
他の実施例として、全ての検出器ユニット１１の光学的インターフェース１７，１７’として、反射型ターミナル素子を接続するかもしくは配置することを可能とするターミナルアダプタを用いることも可能である。但し、関連する検出器ユニット１１が検出器ユニット１の配列の端部に配置される場合に限る。
【００３６】
さらに、図２の検出器ユニット１１では、光送信機２３および光受信機２５を、具体的には制御回路２６とともに組み合わせて、１台の送受信機とすることも可能である。このようにした場合、製造コストを抑えることができるとともに、このような送受信機を関連する検出器ユニット１１に統合（ｉｎｔｅｇｒａｔｉｏｎ）することが可能となる。
【００３７】
図３は、複数の検出器ユニット１１が一列に配置された図２のシステムを示す斜視図である。ここでは、検出器ユニット１１が、共通のターミナルレール３３に取り付けられており、このターミナルレール３３によって、これらの検出器ユニットが機械的に固定されるとともに、付加的な電気的接続部（ｅｌｅｃｔｒｉｃａｌ　ｃｏｎｔａｃｔ）をさらに備えることが可能となっている。図３の実施例では、検出器ユニット１１が互いに直に面接触している。
【００３８】
図４には、検出器ユニット１１を群に分けて配置する実施例が示されている。これらの検出器ユニット１１は、第１の群３５および第２の群３７のいずれかに含まれる。各群３５，３７の一端には、アダプタユニット３９が配置されており、各アダプタユニット３９の光学的インターフェース４１が、関連する群３５，３７の隣接する検出器ユニット１１の光学的インターフェース１７’に対向するようになっている。
【００３９】
アダプタユニット３９の光学的インターフェース４１には、例えば検出器ユニット１１の光学的接続経路と同様な光学的接続経路を介して、光導波路出力部４３が光学的に接続される。他の実施例として、光電式手段によって、光学的インターフェース４１を光導波路出力部４３に接続することも可能である。例えば、アダプタユニット３９に光電式中継器を備え、この光電式中継器により光学的信号を断続的に電気的信号に変換し再び光学的信号に戻すことによって、アダプタユニット３９内部で信号を増幅することが可能である。
【００４０】
２つのアダプタユニット３９の光導波路出力部４３は、柔軟性を有する接続用光導波路４５によって、互いに光学的に接続されている。
【００４１】
従って、第１の群３５をなす検出器ユニット１１の共通光学的接続経路（これらの検出器ユニット１１の個々の光学的接続経路１５により構成されている）は、第２の群３７の共通光学的接続経路に光学的に接続される。従って、図４に示されたシステムでは、第１の群３５の検出器ユニット１１と第２の群３７の検出器ユニット１１とが直に隣接するように配置されるわけではないが、全ての検出器ユニット１１を互いに光学的に接続することができる。
【００４２】
図４の実施例において、図２に関して既に述べたように、各群３５，３７の検出器ユニット１１にターミナルユニットもしくはターミナル素子を配置することも可能である。これらは、各群３５，３７においてアダプタユニット３９の反対側の端部に配置される。さらに、各検出器ユニット１１の光学的インターフェース１７，１７’にターミナルアダプタを配置して接続用光導波路４５を直接に接続できるようにして、別個のアダプタユニット３９を不要とすることも可能である。
【００４３】
図５には、複数の同じタイプの検出器ユニット１１が第１の群３５、第２の群３７および第３の群４７に分けられたシステムの実施例が示されている。全ての群３５，３７，４７における検出器ユニット１１は、直接に、光学的に接続されている。
【００４４】
このようなシステムは、以下のようにして達成される。群３５，３７には、図４に関して既に説明したように、それぞれアダプタユニット３９が配置され、これによって、各接続用光導波路４５を接続することが可能となっている。さらに、第３の群をなす直線状に配列された検出器ユニット１１の端部には、光学的インターフェース５１を備えたアダプタユニット４９が配置され、この光学的インターフェース５１は、隣接する検出器ユニット１１の光学的インターフェース１７に対向するように配置されている。光学的インターフェース５１から光学的接続経路５３が延び、この光学的接続経路５３は、２つの光導波路出力部５５において開いている。これらの光導波路出力部５５には、それぞれ接続用光導波路４５が接続されており、これらの接続用光導波路４５によって、光導波路出力部５５が第１の群３５および第２の群３７に光学的に接続されている。
【００４５】
図５に示されたシステムの検出器ユニット１１は、全て、互いに光学的に接続されている。接続用光導波路４５は柔軟性を有するため、接続用光導波路４５によって、３つの群３５，３７，４７を、所望の星状配列をなすように互いに接続することができる。
【００４６】
図５に関して説明した方法で、具体的にはより多くの光学的インターフェース５１もしくは光導波路出力部５５を備えたアダプタユニット４９を用いることにより、４つ以上の群３５，３７，４７を互いに接続することも可能である。
【００４７】
図６には、２つの光学的接続経路１５を備えた検出器ユニット１１からなるシステムの実施例が示されている。各光学的接続経路１５は、２つの光学的インターフェース１７，１７’の間で延びている。しかし、各光学的接続経路１５には凹部２１が１つだけ設けられており、いずれか一方の光学的接続経路１５には、凹部２１に対向する位置に光受信機２３が配置されており、他方の光学的接続経路１５には、光送信機２５が配置されている。
【００４８】
光送信機２３を備えたこれらの光学的接続経路１５によって、光送信機２３から発生した光を送信するための共通の送信経路が構成されており、光受信機２５を備えた他の光学的接続経路１５によって、共通の受信経路が構成されている。
【００４９】
送信経路および受信経路は、一列に配置された検出器ユニット１１の両端部に配置された２つのターミナルユニット５７により互いに光学的に接続されている。これらのターミナルユニット５７は、それぞれ、検出器ユニット１１の光学的インターフェース１７，１７’に対応する位置に２つの光学的インターフェース５９を備えており、これらは、対応するターミナルユニット５７内部で光学的接続経路６１により互いに光学的に接続されている。
【図面の簡単な説明】
【図１】本発明の検出器ユニットを示す概略的斜視図。
【図２】複数の検出器ユニットが互いに隣接するように一列に配置されたシステムを示す概略的平面図。
【図３】複数の検出器ユニットが互いに隣接するように一列に配置されたシステムを示す概略的斜視図。
【図４】検出器ユニットが群に分けられ、光導波路および対応するアダプタもしくは中継器を介して個々の群が互いに接続されたシステムを示す概略的平面図。
【図５】検出器ユニットが星状配列を有するシステムを示す概略的平面図。
【図６】一列に配置された検出器ユニットを備えたシステムの他の実施例を示す概略的平面図。
【符号の説明】
１１…検出器ユニット
１３…検出器装置
１５…光学的接続経路
１７，１７’…光学的インターフェース
２１…凹部
２３…光送信機
２５…光受信機
【図１】
2004040796.tif 000003
【図２】
2004040796.tif 000004
【図３】
2004040796.tif 000005
【図４】
2004040796.tif 000006
【図５】
2004040796.tif 000007
【図６】
2004040796.tif 000008